(57)【要約】【課題】  通信データごとの圧縮の可否を判断した上で通信データに圧縮を施すこと。【解決手段】  通信データとしてのＩＰパケットに基づいてＸ．２５パケットを生成する信号処理部１３２を含む基地局装置において、データ圧縮部１３０は、ＩＰパケットの圧縮可否を示す圧縮可否データを取得し、ＩＰパケットのうち、前記取得される圧縮可否データにより圧縮可であることが示されるものについて、圧縮を行い、信号処理部１３２は、前記圧縮されたＩＰパケットについては圧縮されたものに基づいてＸ．２５パケットを生成することを特徴とする。【選択図】        図４
2006237940.tif 000002
【特許請求の範囲】
【請求項１】
通信対象である通信データに基づいてパケットデータを生成するパケットデータ生成手段と、
前記生成されたパケットデータを送信するパケットデータ送信手段と、
を含むパケット通信装置において、
前記通信データの圧縮可否を示す圧縮可否データを取得する圧縮可否データ取得手段と、
前記通信データのうち、前記取得される圧縮可否データにより圧縮可であることが示される通信データについて、圧縮を行う通信データ圧縮手段と、
をさらに含み、
前記パケットデータ生成手段は、前記通信データ圧縮手段により圧縮された通信データについては圧縮された該通信データに基づいてパケットデータを生成する、
ことを特徴とするパケット通信装置。
【請求項２】
請求項１に記載のパケット通信装置において、
前記圧縮可否データは、前記通信データの即時送達の必要性に応じて決定されるデータである、
ことを特徴とするパケット通信装置。
【請求項３】
請求項１又は２に記載のパケット通信装置を含むパケット通信システムにおいて、
前記通信データは、アプリケーションプログラムによって生成されており、
前記アプリケーションプログラムを示すアプリケーションプログラムデータに対応付けて、前記圧縮可否データを記憶する圧縮可否データ記憶手段、を含み、
前記圧縮可否データ取得手段は、前記通信データを生成したアプリケーションプログラムを示すアプリケーションプログラムデータに対応付けて記憶される圧縮可否データを、前記通信データの圧縮可否を示す圧縮可否データとして取得する、
ことを特徴とするパケット通信システム。
【請求項４】
アプリケーションプログラムによって通信データを生成する通信データ生成手段と、
前記アプリケーションプログラムを示すアプリケーションプログラムデータに対応付けて、前記圧縮可否データを記憶する圧縮可否データ記憶手段と、
前記通信データを生成したアプリケーションプログラムを示すアプリケーションプログラムデータに対応した前記圧縮可否データを、前記圧縮可否データ記憶手段から取得する圧縮可否データ取得手段と、
前記取得した圧縮可否データを、他の装置に送信する送信手段と、
を含むことを特徴とするパケット通信装置。
【請求項５】
通信対象である通信データに基づいてパケットデータを生成するステップと、
前記生成されたパケットデータを送信するステップと、
を含むパケット通信方法において、
前記通信データの圧縮可否を示す圧縮可否データを取得するステップと、
前記通信データのうち、前記取得される圧縮可否データにより圧縮可であることが示される通信データについて、圧縮を行うステップと、
をさらに含み、
前記パケットデータを生成するステップにおいて、
前記圧縮を行うステップにおいて圧縮された通信データについては圧縮された該通信データに基づいてパケットデータを生成する、
ことを特徴とするパケット通信方法。
【請求項６】
コンピュータに、
通信対象である通信データに基づいてパケットデータを生成するステップと、
前記生成されたパケットデータを送信するステップと、
を実行させるためのパケット通信プログラムにおいて、
前記通信データの圧縮可否を示す圧縮可否データを取得するステップと、
前記通信データのうち、前記取得される圧縮可否データにより圧縮可であることが示される通信データについて、圧縮を行うステップと、
をさらに実行させ、
前記パケットデータを生成するステップにおいて、
前記圧縮を行うステップにおいて圧縮された通信データについては圧縮された該通信データに基づいてパケットデータを生成させる、
ことを特徴とするパケット通信プログラム。
【発明の詳細な説明】
【技術分野】
【０００１】
本発明はパケット通信装置、パケット通信システム、パケット通信方法、及びパケット通信プログラムに関する。
【背景技術】
【０００２】
近年のパケット通信システムには、パケットデータを送信するための通信区間の通信品質を確認してから、パケットデータの基となる通信データの圧縮率を決定するようにしているものがある。例えば特許文献１に記載のパケット通信システムでは、アプリケーションレイヤからベースバンドレイヤに対し通信品質を問い合わせ、問い合わせ結果である通信品質に応答して上記圧縮の圧縮率を変更している。より具体的には通信品質が悪い場合に通信データの圧縮率を高くすることによりパケットデータのサイズを小さくし、送受信しやすいようにしている。
【特許文献１】特開２００３−３０９５４１号公報
【発明の開示】
【発明が解決しようとする課題】
【０００３】
ここで、通信データの圧縮率が高くなればなるほど、圧縮・解凍処理には時間を要するようになるのが一般的である。このため、上記従来のパケット通信システムでは、圧縮率が高くなるほど通信データの送受信に発生する遅延が大きくなる。遅延が大きくなると、ＶＯＩＰ(Voice Over IP)の通話データやストリーミングデータなど即時到達の必要性が高い通信データは顕著な影響を受け、極端な場合には通信が途切れてしまうこともある。一方、即時到達の必要性が低いメールデータなどの通信データでは、遅延が大きくなっても通信は可能である。
【０００４】
しかしながら、従来は、通信データごとの圧縮の可否を判断した上で通信データに圧縮を施すことはできなかった。このため、通信データごとの即時到達性に関わらず圧縮率が決定され、上記遅延が大きくなって通信が途切れてしまう場合があった。
【０００５】
本発明は上記課題を解決するためになされたもので、通信データごとの圧縮の可否を判断した上で通信データに圧縮を施すことを可能にするパケット通信装置、及びパケット通信システム、パケット通信方法、及びパケット通信プログラムを提供することにある。
【課題を解決するための手段】
【０００６】
上記課題を解決するための本発明に係るパケット通信装置は、通信対象である通信データに基づいてパケットデータを生成するパケットデータ生成手段と、前記生成されたパケットデータを送信するパケットデータ送信手段と、を含むパケット通信装置において、前記通信データの圧縮可否を示す圧縮可否データを取得する圧縮可否データ取得手段と、前記通信データのうち、前記取得される圧縮可否データにより圧縮可であることが示される通信データについて、圧縮を行う通信データ圧縮手段と、をさらに含み、前記パケットデータ生成手段は、前記通信データ圧縮手段により圧縮された通信データについては圧縮された該通信データに基づいてパケットデータを生成する、ことを特徴とする。
【０００７】
このようにすることにより、通信データごとの圧縮の可否を判断した上で通信データに圧縮を施すことが可能になる。例えば、パケット通信を行う移動体通信システムでは、パケット通信装置たる基地局装置において、ネットワークから受信したＩＰパケットの圧縮の可否を判断した上でＩＰパケットに圧縮を施す。そして、圧縮されたＩＰパケットについては圧縮後のＩＰパケット、圧縮されなかったＩＰパケットについては受信したＩＰパケット、にそれぞれ基づいてＸ．２５パケットを生成し、該Ｘ．２５パケットを移動局装置に送信することができる。
【０００８】
また、上記パケット通信装置において、前記圧縮可否データは、前記通信データの即時送達の必要性に応じて決定されるデータである、こととしてもよい。
【０００９】
本発明によれば、即時到達の必要性の高い通信データと、即時到達の必要性の低い通信データと、で圧縮の可否を異ならせることができるので、圧縮・解凍処理による遅延量を異ならせることができる。
【００１０】
また、本発明に係るパケット通信システムは、上記パケット通信装置を含むパケット通信システムにおいて、前記通信データは、アプリケーションプログラムによって生成されており、前記アプリケーションプログラムを示すアプリケーションプログラムデータに対応付けて、前記圧縮可否データを記憶する圧縮可否データ記憶手段、を含み、前記圧縮可否データ取得手段は、前記通信データを生成したアプリケーションプログラムを示すアプリケーションプログラムデータに対応付けて記憶される圧縮可否データを、前記通信データの圧縮可否を示す圧縮可否データとして取得する、ことを特徴とする。
【００１１】
このようにすることにより、例えばＶＯＩＰアプリケーションプログラムにより生成された通信データについては圧縮せず、メールアプリケーションプログラムにより生成された通信データについては圧縮する、というように、アプリケーションプログラムごとに通信データの圧縮可否を決定することができる。このため、アプリケーションプログラムごとに圧縮・解凍処理による遅延量を異ならせることができる。
【００１２】
なお、本発明の別の一側面に係るパケット通信装置は、アプリケーションプログラムによって通信データを生成する通信データ生成手段と、前記アプリケーションプログラムを示すアプリケーションプログラムデータに対応付けて、前記圧縮可否データを記憶する圧縮可否データ記憶手段と、前記通信データを生成したアプリケーションプログラムを示すアプリケーションプログラムデータに対応した前記圧縮可否データを、前記圧縮可否データ記憶手段から取得する圧縮可否データ取得手段と、前記取得した圧縮可否データを、他の装置に送信する送信手段と、を含むことを特徴とする。
【００１３】
また、本発明に係るパケット通信方法は、通信対象である通信データに基づいてパケットデータを生成するステップと、前記生成されたパケットデータを送信するステップと、を含むパケット通信方法であって、前記通信データの圧縮可否を示す圧縮可否データを取得するステップと、前記通信データのうち、前記取得される圧縮可否データにより圧縮可であることが示される通信データについて、圧縮を行うステップと、をさらに含み、前記パケットデータを生成するステップにおいて、前記圧縮を行うステップにおいて圧縮された通信データについては圧縮された該通信データに基づいてパケットデータを生成する、ことを特徴とする。
【００１４】
また、本発明に係るパケット通信プログラムは、コンピュータに、通信対象である通信データに基づいてパケットデータを生成するステップと、前記生成されたパケットデータを送信するステップと、を実行させるためのパケット通信プログラムであって、前記通信データの圧縮可否を示す圧縮可否データを取得するステップと、前記通信データのうち、前記取得される圧縮可否データにより圧縮可であることが示される通信データについて、圧縮を行うステップと、をさらに実行させ、前記パケットデータを生成するステップにおいて、前記圧縮を行うステップにおいて圧縮された通信データについては圧縮された該通信データに基づいてパケットデータを生成させる、ことを特徴とする。
【発明を実施するための最良の形態】
【００１５】
本発明の実施の形態について、図面を参照しながら説明する。
【００１６】
図１は、本実施の形態に係る移動体通信システム１０の構成図である。同図に示すように、本実施の形態に係る移動体通信システム１０は基地局装置２０、移動局装置３０、通信ネットワーク４０を含んで構成されている。
【００１７】
基地局装置２０は、図２に示すように、制御部２１と、記憶部２２と、無線通信部２３と、ネットワークインターフェイス部２４と、を含んで構成されている。制御部２１は、基地局装置２０の各部を制御し、通話、データ通信、又はパケット通信に関わる処理を実行している。
【００１８】
記憶部２２は、制御部２１のワークメモリとして動作する。また、この記憶部２２は、制御部２１によって行われる各種処理に関わるプログラムやパラメータを保持している。さらに、記憶部２２は、無線通信部２３において用意される通信チャネルが使われている割合を示す無線リソース占有率情報も記憶する。また、記憶部２２は、後述するように、アプリケーションセッションＩＤごとにアプリケーション圧縮可否データを記憶する。
【００１９】
無線通信部２３は、空中線を備え、移動局装置３０からの音声信号や通信用パケット（Ｘ．２５パケット）等をそれぞれ受信して復調し、制御部２１に出力したり、制御部２１から入力される指示に従って、制御部２１から入力される音声信号や通信用パケット等を変調して空中線を介して出力したり、といった処理を行う。無線通信部２３は、移動局装置３０との通信を行うための複数の通信チャネルを備えている。パケット通信においては、複数の通信チャネルのうち少なくとも１つの通信チャネルが、複数の移動局装置３０によって共用される。
【００２０】
ネットワークインターフェイス部２４は、通信ネットワーク４０と接続されており、通信ネットワーク４０からの音声信号や通信用パケット（ＩＰパケット）等を受信して制御部２１に出力したり、制御部２１の指示に従って音声信号や通信用パケット（ＩＰパケット）等を通信ネットワーク４０に対して送信したりする。
【００２１】
移動局装置３０がパケット通信を行う場合、ネットワークインターフェイス部２４において通信ネットワーク４０から受信される通信データは、ＯＳＩ参照モデルのネットワーク層におけるＩＰパケットである。ネットワークインターフェイス部２４からこのＩＰパケットを入力された制御部２１は、ＩＰパケットに基づいてＸ．２５パケットを生成して、無線通信部２３に出力する。Ｘ．２５パケットを生成する処理は、具体的には、ＩＰパケットを同じネットワーク層のＸ．２５プロトコルによりカプセル化する処理である。すなわち、通信ネットワーク４０においてはＩＰパケットにより通信データの送受信がなされるが、無線区間においてはそのＩＰパケットをＸ．２５パケットによりカプセル化した状態で通信データの送受信がなされる。
【００２２】
移動局装置３０は、図３に示すように、制御部３１と、記憶部３２と、無線通信部３３と、を含んで構成されている。制御部３１は、移動局装置３０の各部を制御し、通話、データ通信、又はパケット通信に関わる処理を実行している。また、アプリケーションプログラムを実行し、必要に応じアプリケーションプログラムによる通信データであるＩＰパケットの作成を行う。さらに、無線通信部３３が受信したＸ．２５パケットに含まれるＩＰパケットを抽出してアプリケーションプログラムに渡し、アプリケーションプログラムによる処理を施す処理も行う。
【００２３】
記憶部３２は、制御部３１のワークメモリとして動作する。また、この記憶部３２は、制御部３１によって行われる各種処理に関わるプログラムやパラメータを保持している。さらに記憶部３２は、制御部３１で使用するアプリケーションプログラムを示すアプリケーションプログラム情報と、該アプリケーションプログラムの作成する通信データ（ＩＰパケット）の圧縮可否を示すアプリケーション圧縮可否データと、を対応付けて記憶する。
【００２４】
無線通信部３３は、空中線を備え、制御部３１から入力される指示に従って、音声信号や通信用パケット等を変調して空中線を介して出力したり、空中線に到来する音声信号や通信用パケット（Ｘ．２５パケット）等を受信して復調し、制御部３１に出力したり、といった処理を行う。無線通信部３３は、無線通信部２３において備えられる通信チャネルのうち少なくとも１つを使用して基地局装置２０との通信を行う。
【００２５】
移動局装置３０は、少なくとも１つのアプリケーションプログラムを使用して通信を行う。通信は、アプリケーションプログラムごとに行われる。具体的には、アプリケーションプログラムは通信相手となるアプリケーションプログラムとの間にセッションを確立し、該セッション上で通信を行う。このとき、セッションを識別するためにアプリケーションセッションＩＤが付与される。アプリケーションセッションＩＤは通信ネットワーク４０に接続される他のシステムを含む移動体通信システム１０上で一意に決定される文字列であり、後述するように、基地局装置２０がこのアプリケーションセッションＩＤを参照することにより、各移動局装置３０が各アプリケーションを用いて行う通信を識別することとしている。
【００２６】
アプリケーションプログラムの具体的な例としては、例えばメール、ＶＯＩＰ、ストリーミングが挙げられる。なお、アプリケーションプログラムは基地局装置２０ではなく通信ネットワーク４０上のコンピュータ（不図示）との間でＩＰパケットの送受信を行っている。
【００２７】
アプリケーションプログラムによる通信では、アプリケーションプログラムごとに即時到達の必要性が異なる。即時到達の必要性とは、通信データの到達にどれだけの遅延が発生しても通信が成り立つかということを示す遅延許容量のことである。より具体的にいえば、送信側のアプリケーションプログラムが通信対象となるＩＰパケットを作成してから、通信相手のアプリケーションプログラムに到達するまでの間にどれだけの遅延が許されるかということを示す指標である。例えばＶＯＩＰやストリーミングなどのリアルタイムで通信データを送受信する必要のあるアプリケーションプログラムは即時到達の必要性が高い。一方、メールなどのリアルタイムで通信データを送受信する必要のないアプリケーションプログラムは即時到達の必要性が低い。
【００２８】
記憶部３２において記憶されるアプリケーション圧縮可否データは、この即時到達の必要性の程度に応じて予め決定され、記憶部３２に記憶される。より具体的には、即時到達の必要性が低いアプリケーションプログラムにおいては該アプリケーションプログラムにより作成された通信データの圧縮は可として決定され、逆に即時到達の必要性が高いアプリケーションプログラムにおいては該アプリケーションプログラムにより作成された通信データの圧縮は否として決定されている。
【００２９】
なお、アプリケーション圧縮可否データの内容として圧縮の可否を示す圧縮可否情報だけでなく、アプリケーションごとに圧縮の程度を変化させるために、圧縮の程度を示す圧縮程度情報を含むようにしてもよい。具体的には、アプリケーション圧縮可否データを、メール、ストリーミング、ＶＯＩＰについてそれぞれ圧縮程度情報により示される圧縮の程度を「高」「中」「低」として２ビットのデータで表すようなデータであることとしてもよい。
【００３０】
本実施の形態における移動体通信システム１０の通信データ圧縮機能について、図４を参照しながら詳細に説明する。
【００３１】
図４は、移動体通信システム１０の機能ブロックを示す機能ブロック図である。同図に示すように、基地局装置２０は、機能的には、信号処理部１２０、アプリケーション情報取得部１２２、通信データ情報記憶部１２６、無線リソース管理部１２４、無線リソース情報記憶部１２８、データ圧縮部１３０、信号処理部１３２を含んで構成される。また、移動局装置３０は、機能的には、アプリケーション部１００、アプリケーション情報記憶部１０４、信号処理部１０２、アプリケーション情報付加部１０６、信号処理部１０８、データ解凍部１１０、アプリケーション部１１２を含んで構成される。より詳細には、アプリケーション情報取得部１２２、通信データ情報記憶部１２６、無線リソース管理部１２４、無線リソース情報記憶部１２８、及びデータ圧縮部１３０は制御部２１により実現され、信号処理部１２０及び信号処理部１３２は制御部２１及び無線通信部２３により実現され、無線リソース管理部１２４は制御部２１とネットワークインターフェイス部２４により実現される。また、アプリケーション部１００、アプリケーション情報記憶部１０４、アプリケーション情報付加部１０６、データ解凍部１１０、アプリケーション部１１２は制御部３１により実現され、信号処理部１０２及び信号処理部１０８は制御部３１及び無線通信部３３により実現される。
【００３２】
アプリケーション部１００は、アプリケーションプログラムを実行する。実行されたアプリケーションプログラムは通信を開始する際、通信相手のコンピュータとの間でアプリケーションセッションＩＤの取得処理を行う。アプリケーションセッションＩＤを取得したら、アプリケーションプログラムは該アプリケーションセッションＩＤを含むＩＰパケットを作成し、信号処理部１０２に対して出力する。
【００３３】
なお、あるアプリケーションプログラムが通信を開始する際、アプリケーション情報記憶部１０４は該アプリケーションプログラムに対応付けて記憶部３２に記憶されるアプリケーション圧縮可否データを読み出し、読み出したアプリケーション圧縮可否データをアプリケーション情報付加部１０６に出力する。
【００３４】
そして、信号処理部１０２においてＩＰパケットに基づいてＸ．２５パケットを生成し、基地局装置２０に対して送信する。このとき、アプリケーション情報付加部１０６はＸ．２５パケットの一部（例えばヘッダ部）に該Ｘ．２５パケットに含まれるＩＰパケットを作成したアプリケーションプログラムについて読み出されたアプリケーション圧縮可否データを付加する。
【００３５】
基地局装置２０は信号処理部１２０においてＸ．２５パケットを受信し、無線リソース管理部１２４を介して通信ネットワーク４０に対して出力する。
【００３６】
アプリケーション情報取得部１２２は信号処理部１２０において受信されたＸ．２５パケットの一部を読み取ることにより、該Ｘ．２５パケットに付加されたアプリケーション圧縮可否データを取得する。また、該Ｘ．２５パケットに含まれるＩＰパケットに含まれるアプリケーションセッションＩＤを取得する。そして、取得したアプリケーション圧縮可否データ及びアプリケーションセッションＩＤを通信データ情報記憶部１２６に対して出力する。
【００３７】
通信データ情報記憶部１２６は記憶部２２に対し、アプリケーション情報取得部１２２から出力されたアプリケーションセッションＩＤ及びアプリケーション圧縮可否データを対応付けて記憶させる。
【００３８】
無線リソース管理部１２４は、通信ネットワーク４０と移動局装置３０との間で行われる通信を監視することにより、通信チャネルが占有されている割合を算出する。具体的には、パケット通信の場合には通信チャネルが時間的に使用されている割合を算出する。そして、算出した割合を無線リソース占有率情報として無線リソース情報記憶部１２８に対して出力し、無線リソース情報記憶部１２８は入力された無線リソース占有率情報を記憶部２２に書き込む。なお、無線リソース管理部１２４及び無線リソース情報記憶部１２８によるこの無線リソース占有率情報書込処理は定期的に行われる。
【００３９】
また、無線リソース管理部１２４は、通信ネットワーク４０から移動局装置３０に対して送信される通信対象としてのＩＰパケットを取得する。そして、取得したＩＰパケットの送信先である移動局装置３０を取得し、該移動局装置３０に対応するデータ圧縮部１３０に対して出力する。
【００４０】
データ圧縮部１３０は移動局装置３０ごとに設けられる。データ圧縮部１３０は、入力されたＩＰパケットに含まれるアプリケーションセッションＩＤを取得するとともに、通信データ情報記憶部１２６に対して、該アプリケーションセッションＩＤに対応して記憶部２２に記憶されるアプリケーション圧縮可否データを読み出すよう、指示を行う。通信データ情報記憶部１２６は、指示に従いアプリケーション圧縮可否データを読み出し、データ圧縮部１３０に対して出力する。
【００４１】
また、データ圧縮部１３０は無線リソース情報記憶部１２８に対して最新の無線リソース占有率情報を読み出すよう指示する。無線リソース情報記憶部１２８は指示に従って記憶部２２に記憶される無線リソース占有率情報を読み出し、データ圧縮部１３０に対して出力する。
【００４２】
データ圧縮部１３０は入力されるアプリケーション圧縮可否データと、無線リソース占有率情報と、に基づいて通信データを圧縮する。具体的には、まず無線リソース占有率情報に基づき、通信チャネルが占有されている割合が所定閾値以上であるか否かを判定する。所定閾値以下である場合には、データ圧縮部１３０は圧縮処理を行わず、ＩＰパケットをそのまま信号処理部１３２に対して出力する。一方、通信チャネルが占有されている割合が所定閾値以上である場合には、アプリケーション圧縮可否データに基づき、ＩＰパケットの圧縮の可否又は圧縮の程度を取得する。圧縮可である場合には、所定の圧縮アルゴリズムを選択し、ＩＰパケットに対して選択した圧縮アルゴリズムによる圧縮処理を行う。なおデータ圧縮部１３０は、ＩＰパケットの圧縮の程度を取得している場合には、該圧縮の程度に応じた圧縮アルゴリズムを選択する。そして圧縮して得られる圧縮済のＩＰパケットを信号処理部１３２に対して出力する。このとき、所定の圧縮アルゴリズムで圧縮したことを示すデータ圧縮情報も出力する。
【００４３】
信号処理部１３２は、データ圧縮部１３０から入力されるＩＰパケットに基づいてＸ．２５パケットを生成するとともに、その一部（例えばヘッダ部）にデータ圧縮情報を付加し、移動局装置３０に対して送信する。
【００４４】
信号処理部１０８は、信号処理部１３２によって送信されたＸ．２５パケットを受信し、該Ｘ．２５パケットに含まれるＩＰパケットを取得する。また、含まれていれば、該Ｘ．２５パケットに含まれるデータ圧縮情報を取得する。そして、ＩＰパケット及びデータ圧縮情報をデータ解凍部１１０に対して出力する。
【００４５】
データ解凍部１１０は、データ圧縮情報が入力されたか否かを判断し、データ圧縮情報が入力されていないと判断した場合、入力されたＩＰパケットをそのままアプリケーション部１１２に対して出力する。一方、データ圧縮情報が入力されたと判断した場合、該データ圧縮情報に基づいて圧縮アルゴリズムを選択する。そして、入力されたＩＰパケットに対して、選択した圧縮アルゴリズムによる解凍処理を行う。なお、移動局装置３０と基地局装置２０とで同じ圧縮アルゴリズムが選択されるよう、データ圧縮情報と圧縮アルゴリズムを示す情報とを対応付けて記憶部３２に記憶しておくことが望ましい。そして解凍済のＩＰパケットをアプリケーション部１１２に対して出力する。
【００４６】
アプリケーション部１１２は入力されたＩＰパケットに基づいて、アプリケーションプログラムによる処理を行う。
【００４７】
以上のようにすることにより、アプリケーションセッションＩＤごとに圧縮の可否を判断することができる。このため、通信データごとの圧縮の可否を判断した上で通信データに圧縮を施すことが可能になる。また、アプリケーションによる即時到達の必要性の違いに基づいてアプリケーション圧縮可否データを決定することができるので、即時到達の必要性の高い通信データと、即時到達の必要性の低い通信データと、で圧縮の可否を異ならせることができる。このため、アプリケーションによる即時到達の必要性の違いに応じて、アプリケーションごとに圧縮・解凍処理による遅延量を異ならせることができる。また、本実施の形態に係る通信データ圧縮を実施するか否かを、無線区間の通信チャネルの混み具合に応じて決定することができるので、例えば混んでいるときには通信データの圧縮を実施して無線資源の有効利用を図り、混んでいないときには通信データの圧縮を実施しないことにより圧縮・解凍による遅延をなくすこととすることができる。
【００４８】
なお、本発明は上記実施の形態に限定されるものではない。例えば、アプリケーション圧縮可否データは許容される遅延量の大きさを示すタイムアウト値であるとしてもよい。基地局装置２０は、このタイムアウト値に基づいて圧縮の可否を判断することとしてもよい。より具体的には、タイムアウト値と圧縮の可否を示す情報とを対応付けて記憶部２２に記憶しておき、移動局装置３０から送信されたタイムアウト値と対応付けて記憶される圧縮の可否を示す情報に基づいて、通信データの圧縮の可否を判断することとしてもよい。
【００４９】
また、基地局装置２０は、移動局装置３０からアプリケーション圧縮可否データを受信することに代えて、記憶部２２に、アプリケーションプログラム情報と、アプリケーション圧縮可否データと、を対応付けて記憶することとしてもよい。この場合、データ圧縮部１３０は、入力されたＩＰパケットに基づいて、該ＩＰパケットを生成したアプリケーションプログラムを示すアプリケーションプログラム情報を取得し、取得したアプリケーションプログラム情報と対応付けて記憶されるアプリケーション圧縮可否データにより、該ＩＰパケットの圧縮の可否を判断することとしてもよい。
【図面の簡単な説明】
【００５０】
【図１】本発明の実施の形態に係る移動体通信システムのシステム構成図である。
【図２】本発明の実施の形態に係る基地局装置のシステム構成図である。
【図３】本発明の実施の形態に係る移動局装置のシステム構成図である。
【図４】本発明の実施の形態に係る基地局装置及び移動局装置の機能ブロック図である。
【符号の説明】
【００５１】
１０  移動体通信システム、２０  基地局装置、２１，３１  制御部、２２，３２  記憶部、２３，３３  無線通信部、２４  ネットワークインターフェイス部、３０  移動局装置、４０  通信ネットワーク、１００  アプリケーション部、１０２，１０８，１２０，１３２  信号処理部、１０４  アプリケーション情報記憶部、１０６  アプリケーション情報付加部、１１０  データ解凍部、１１２  アプリケーション部、１２２  アプリケーション情報取得部、１２４  無線リソース管理部、１２６  通信データ情報記憶部、１２８  無線リソース情報記憶部、１３０  データ圧縮部。
【図１】
2006237940.tif 000003
【図２】
2006237940.tif 000004
【図３】
2006237940.tif 000005
【図４】
2006237940.tif 000006